(57)【要約】【課題】室内等で用いることができる水洗装置及び身体洗浄装置付き便器を具備する椅子を提供する。【解決手段】底部に排出口６１を有する便器６と、便器６に排泄された大便と小便とを分離する分離装置７と、分離装置７により分離された大便を微生物により分解する大便処理槽８と、前記分離装置７により分離された小便を処理する小便処理槽９と、を椅子Ａの座部１の下部に備える。分離装置７は、便器６に排泄された小便を便器６の内壁６２を伝って流れさせ、便器６の排出口６１に連通し下方にラッパ状に広がり、底を有する小便受け容器７１と、該小便受け容器７１の底を貫通するとともに、その先端が前記小便受け容器７１の内壁から離間するように設けられた大便案内筒７５とを備える。大便案内筒７５はシャッタ７３により、通常閉となっており、大便使用時のみ開となる。【選択図】  図１
2007120268.tif 000002
【特許請求の範囲】
【請求項１】
水洗装置及び身体洗浄装置付き便器６と、便器６の下部に配置され大便と小便を分離する分離装置７と、分離された小便を処理する小便処理槽９と、分離された大便を処理する大便処理槽８と、洗浄後及び処理後の水を排出する排水管Ｄと、を具備することを特徴とする身体洗浄装置及び水洗装置付き便器を具備する椅子。
【請求項２】
底部に排出口６１を有する便器６と、該便器６に排泄された大便と小便とを分離する分離装置７と、前記分離装置７により分離された大便を微生物により分解する大便処理槽８と、前記分離装置７により分離された小便を処理する小便処理槽９と、を椅子Ａの座部１の下部に備え、
前記分離装置７は、前記便器に排泄された小便を前記便器の内壁６２を伝って流れさせると共に、前記便器６の排出口６１に連通し下方にラッパ状に広がり、底を有する小便受け容器７１と、該小便受け容器７１の底を貫通するとともに、その先端が前記小便受け容器７１の内壁から離間するように設けられた大便案内筒７５とを備え、更に、
前記便器６には、便器洗浄水供給孔を設けると共に身体洗浄用ノズルを進退可能に設け、更に、少なくとも上記身体洗浄用ノズルから洗浄水が噴出しているときに上記大便案内筒７５を閉とする構成としたことを特徴とする請求項１記載の身体洗浄装置及び水洗装置付き便器を具備する椅子。
【請求項３】
上記大便案内筒７５を閉とする構成として、大便案内筒７５にシャッタ７３を付設したことを特徴とする請求項２記載の身体洗浄装置及び水洗装置付き便器を具備する椅子。
【請求項４】
小便処理槽９の処理済水を水洗装置に供給することを特徴とする請求項１乃至３記載のいずれかの身体洗浄装置及び水洗装置付き便器を具備する椅子。
【請求項５】
椅子Ａの適宜個所に貯水槽５を配置し、該貯水槽５を水洗装置に連結することを特徴とする請求項１乃至４記載のいずれかの身体洗浄装置及び水洗装置付き便器を具備する椅子。
【請求項６】
小便処理槽９と大便処理槽８とは、便器６の下部に配置することを特徴とする請求項１乃至５記載のいずれかの身体洗浄装置及び水洗装置付き便器を具備する椅子。
【請求項７】
上記貯水槽５は、背凭れ２に配置することを特徴とする請求項５記載の身体洗浄装置及び水洗装置付き便器を具備する椅子。
【請求項８】
床Ｆに対して移動・停止が選択可能に構成されていることを特徴とする請求項１〜７載のいずれかの身体洗浄装置及び水洗装置付き便器を具備する椅子。
【請求項９】
上記シャッタ７３は、大便案内筒７５に対して直線往復運動又は円周揺動運動することを特徴とする請求項３記載の身体洗浄装置及び水洗装置付き便器を具備する椅子。
【請求項１０】
上記シャッタ７３は、大便案内筒７５に対して観音開き方式で開閉運動することを特徴とする請求項３記載の身体洗浄装置及び水洗装置付き便器を具備する椅子
水。
【請求項１１】
上記シャッタ７３は、通常閉とし、大便時のみ、開とすることを特徴とする請求項３記載の身体洗浄装置及び水洗装置付き便器を具備する椅子。
【請求項１２】
上記シャッタ７３の開動作は、大便スイッチの開操作、又は、大便の落下エネルギにより自動的に行われることを特徴とする請求項３記載の身体洗浄装置及び水洗装置付き便器を具備する椅子。
【発明の詳細な説明】
【技術分野】
【０００１】  本発明は、水洗装置及び身体洗浄装置付き便器を具備する椅子に関し、更に詳しくは、大便と小便を分離する分離装置と、分離された大小便をそれぞれ処理する処理槽付き便器を有する椅子に関する。
【背景技術】
【０００２】  本発明の発明者は、以前、特許文献２記載の技術の存在を前提として、大便と小便とを分離するとともに、分離した大小便をそれぞれ速やかに処理することでメンテナンスが容易な循環式トイレを発明している（下記特許文献１参照）。【０００３】
【特許文献１】特許第３５３４７３２号公報
【０００４】
【特許文献２】特許第３０５５７７３号公報
【発明が解決しようとする課題】
【０００５】  本発明は、上記発明を基礎としつつ、室内等で用いることができる水洗装置及び身体洗浄装置付き便器を具備する椅子を提供することを目的としている。
【課題を解決するための手段】
【０００６】  そこで、上記課題を解決するための手段として、下記の手段を講じた。
請求項１記載の身体洗浄装置及び水洗装置付き便器を具備する椅子は、水洗装置及び身体洗浄装置付き便器６と、便器６の下部に配置され大便と小便を分離する分離装置７と、分離された小便を処理する小便処理槽９と、分離された大便を処理する大便処理槽８と、洗浄後及び処理後の水を排出する排水管Ｄと、を具備することを特徴とし、上記椅子が移動可能で、室内のいかなる場所でも使用可能にしたものである。
【０００７】  請求項２記載の身体洗浄装置及び水洗装置付き便器を具備する椅子は、請求項１記載の手段において、底部に排出口６１を有する便器６と、該便器６に排泄された大便と小便とを分離する分離装置７と、前記分離装置７により分離された大便を微生物により分解する大便処理槽８と、前記分離装置７により分離された小便を処理する小便処理槽９と、を椅子Ａの座部１の下部に備え、前記分離装置７は、前記便器に排泄された小便を前記便器の内壁６２を伝って流れさせると共に、前記便器６の排出口６１に連通し下方にラッパ状に広がり、底を有する小便受け容器７１と、該小便受け容器７１の底を貫通するとともに、その先端が前記小便受け容器７１の内壁から離間するように設けられた大便案内筒７５とを備え、更に、前記便器６には、便器洗浄水供給孔を設けると共に身体洗浄用ノズルを進退可能に設け、更に、少なくとも上記身体洗浄用ノズルから洗浄水が噴出しているときに上記大便案内筒７５を閉とする構成としたことを特徴とし、椅子が移動可能で、且つ、水洗・身体洗浄装置すきとしたものである。
【０００８】  請求項３記載の身体洗浄装置及び水洗装置付き便器を具備する椅子は、請求項２記載の手段において、上記大便案内筒７５を閉とする構成として、大便案内筒７５にシャッタ７３を付設したことを特徴し、小便・大便の分離を円滑なものとした。
請求項４記載の身体洗浄装置及び水洗装置付き便器を具備する椅子は、請求項１乃至３記載のいずれかの手段において、小便処理槽９の処理済水を水洗装置に供給することを特徴し、処理済水の再利用を可能とした。
【０００９】  請求項５記載の身体洗浄装置及び水洗装置付き便器を具備する椅子は、請求項１乃至４記載のいずれかの手段において、椅子Ａの適宜個所に貯水槽５を配置し、該貯水槽５を水洗装置に連結することを特徴し、貯水槽５の設置を容易にした。
請求項６記載の身体洗浄装置及び水洗装置付き便器を具備する椅子は、請求項１乃至５記載のいずれかの手段において、小便処理槽９と大便処理槽８とは、便器６の下部に配置することを特徴し、椅子下部空間の有効利用を実現した。
【００１０】  請求項７記載の身体洗浄装置及び水洗装置付き便器を具備する椅子は、請求項５記載の手段において、上記貯水槽５は、背凭れ２に配置することを特徴し、背凭れ２内空間の有効利用を実現した。
請求項８記載の身体洗浄装置及び水洗装置付き便器を具備する椅子は、請求項１〜７載のいずれかの手段において、床Ｆに対して移動・停止が選択可能に構成されていることを特徴し、椅子の移動・停止を容易にした。
【００１１】  請求項９記載の身体洗浄装置及び水洗装置付き便器を具備する椅子は、請求項３記載の手段において、上記シャッタ７３は、大便案内筒７５に対して直線往復運動又は円周揺動運動することを特徴し、シャッタ７３の作動を確実なものとした。
請求項１０記載の身体洗浄装置及び水洗装置付き便器を具備する椅子は、請求項３記載の手段において、上記シャッタ７３は、大便案内筒７５に対して観音開き方式で開閉運動することを特徴し、シャッタ７３の動作を円滑とした。
【００１２】  請求項１１記載の身体洗浄装置及び水洗装置付き便器を具備する椅子は、請求項３記載の手段において、上記シャッタ７３は、通常閉とし、大便時のみ、開とすることを特徴し、小便が大便処理槽８に混入することを極力少なくし、且つ、大便処理槽８から便器６への臭気の放散を小さくした。
請求項１２記載の身体洗浄装置及び水洗装置付き便器を具備する椅子は、請求項３記載の手段において、上記シャッタ７３の開動作は、大便スイッチの開操作、又は、大便の落下エネルギにより自動的に行われることを特徴し、操作を容易にし、又は、シャッタ７３の作動を自動化させた。
【発明を実施するための最良の形態】
【００１３】  以下、本発明を実施するための最良の形態を図面に基づいて説明する。図１は、本発明実施例の側面からみた説明図、図２は、同実施例の上面斜視図、図３は、同実施例の正面図、図４は同実施例のシャッタ部の水平説明図、図５は同実施例のシャッタ部の鉛直断面の説明図、図６は同実施例の大便処理装置の説明図、図７は同実施例の小便処理装置の説明図である。なお、以下に説明するに当たって、この発明の発明者の基本発明（特許第３５３４７３２号公報）と同一技術を用いている点はその点を指摘することで説明の重複を避けるために省略する。【００１４】（椅子Ａ全体）
実施例に係る身体洗浄装置及び水洗装置付き便器を具備する椅子Ａは、脚部４、座部１、背凭れ２、肘掛３を具備し、更に、貯水槽５と、座部１の下部に、便器６と、大便と小便を分離する分離装置７と、分離された小便を処理する小便処理槽９と、分離された大便を処理する大便処理槽８と、洗浄後の水を排出する排水管Ｄと、を具備する。【００１５】  便器６には、公知の水洗装置（図示せず）及び身体洗浄装置（図示せず）が付設されている。なお、更に便器内換気装置（図示せず）を追加してもよい。この便器内換気装置は、便器内の臭気を直接屋外に排出するものである。この場合は、便器内換気装置から吸引用の吸引パイプの連結が必要となる。本椅子は、外見上は通常の椅子と格別の相違はない。【００１６】（脚部４）
脚部４は木、金属、合成樹脂等のいずれか或いはこれらの組合せの素材から構成され、脚部４に支持されて、椅子Ａの枠組みを構成する横枠４１、縦枠４２等からなり、座部１、背凭れ部２、肘掛３等の支持枠を構成している。また、上記脚部４は、全体として、床Ｆに対して移動・停止、又は水平に回転・固定可能とするりためにキャスタ、そのストッパ等を付設すれば、使用勝手が一層向上する（図示せず）。【００１７】（座部１）
座部１は、平面視方形状に形成され、座板１１及びその上部に貼着されたクッション体１２から構成され、これらは枠体の後枠４１ａを軸として上下に揺動自在に構成されている。そして、この座部１は、便器の蓋を構成し、また、座板１１の直下部には、後述の便器６が配置される。【００１８】（背凭れ２）
本実施例では、背凭れ２は、脚部４に対して固定されている。しかし、リクライニング装置等により、その傾斜角度が自由に変更・固定できるようにしてもよく、更に、上部にヘッドレスト（図示なし）を付設してもよい。本実施例の特徴は、この背凭れ２に貯水槽５を設けている。なお、貯水槽５は、肘掛３下部等他の部分に配置してもよい。【００１９】（肘掛３・操作パネル３１）
肘掛３は、座部１の左右の両横枠４１に立設されるが、この実施例の肘掛３の上部には、水洗装置及び身体洗浄装置の操作パネルが配置される。該操作パネル３１には、水洗装置用としてスイッチ（図示せず）が１つ設けられ、身体洗浄装置用として、公知の装置と同様のスイッチ（図示せず）が設けられる。また、必須の構成要件として、大便スイッチ３３が設けられている。なお、操作パネル３１は、水洗装置用操作パネルと身体洗浄装置用操作パネルとして、左右の肘掛に別々に設けることもできる。【００２０】（便器６）
図１に示すように、便器６には、その底部の大便の落下位置に排出口６１を有し、落下する大便が、可能な限り便器の内面に接触しないようにする。小便は、便器６の内面を伝って排出口６１の周部から落下することになる。
なお、使用中には、水洗装置の洗浄水が流され続けるように設定してもよい。そして、この場合は、便座６４に着座中は、スイッチオンとなるように自動化することが望ましい。【００２１】（分離装置７）
便器６の下部に配置される分離装置７について説明する。
該分離装置７は、便器６に排泄された小便を前記便器６の内壁を伝って流れさせる小便案内部７４と、便器６の排出口６１に連通するとともに下方にラッパ状に広がり前記小便受け容器７１の底を貫通するとともに、その先端が前記小便案内部７４の内壁から離間するように設けられた大便案内筒７５が設けられている。小便案内部７４は、図１に示すように、便器２の内周に沿って環状に設けられ、便器２の内壁に向かって傾斜し且つ便器２の内壁と所定幅離間している。【００２２】  大便案内筒７５は、小便受け容器７１の底を貫通するように設けられているので、小便受け容器７１の底にたまった小大便案内筒７５に流れ込むことがない。また、大便案内筒７５は、その先端が小便受け容器１の内壁から離間するように設けられているので、小便受け容器７１の内壁を伝わって小便が流れ落ちるのを妨げない。
さらに、大便案内筒７５は、その径が便器６の排出口６１の径にほぼ等しく、排出口６１の直下に設けられるので、便器６に排泄された大便（トイレットペーパーを含む）は排出口６１から直接、大便案内筒７５に落下する。大便案内筒７５に落下した大便は、大便案内筒７５の下方に設けられた大便処理槽８に貯留され、処理される。【００２３】（シャッタ７３）
大便案内筒７５の上端部、即ち、大便が落下する入り口に、便器洗浄水や身体洗浄水が大便案内筒７５内に落下しないように、自動開閉のシャッタが設けられる（図示せず）。
しかし、本実施例では、シャッタ７３は、特に、図４，５に示すように、大便案内筒７５の下部近傍に進退するようにシャッタ開閉部７８のモータ１０ａによる駆動により、シャッタ案内レール７９を用いて進退・往復するようにして開閉させる。モータ１０ａによる開閉駆動は、上記大便スイッチ３３と連動する。【００２４】  したがって、通常、シャッタ７３は閉となっており、大便のときは、大便スイッチ３３をオン操作する。この大便スイッチ３３のオン操作により、シャッタ７３が開となり、大便は大便案内筒７５を介して大便処理槽８に至る。その後、大便スイッチ３３のオフ操作により、シャッタ７３が閉となり、大便案内筒７５は閉止される。
即ち、便器洗浄水や身体洗浄水のいずれかが作動（噴出）している間も含めて、シャッタ７３を閉とすることで、これらの落下水が大便案内筒７５の内部に入らないようにしている。また、このシャッタ７３は、大便案内筒７５と気密性を高くして摺接させることで、大便処理層８からの臭気が外部（便器６内）に漏れることを少なくする作用もある。また、大便案内筒７５と大便処理槽８との間にはゴム製のパッキングが設けられ、臭いが外に漏れるの防ぐとともに、メンテナンス時に大便処理槽８を取り外す作業を容易にしている。【００２５】（シャッタ７３の別例）
シャッタ７３は、上記のように、案内レール７９等を用いて進退・往復するようにして開閉させる他、例えば、うちわ状のシャッタを水平面内において、往復揺動するようにすることで構成を簡略化することができる。【００２６】（小便使用の場合）
便器２に排泄された小便（洗浄水を含む、以下同じ）は、小便案内板６３に一旦せき止められて、隙間から少量ずつ流れ落ちるので、排出口６１に一期に落下することなく、便器６及び小便案内部７４の内壁を伝わり落ちる。
小便が排泄される方向は男女によって異なるが、洗浄水案内板６３は便器６の内周に沿って環状に設けられているのでこれに対応することができる。また小便は内壁６２の一部分にのみ排泄されるが、内壁６２に案内されて便器６の内周に沿って行き渡るので、すみやかに流れ落ちる。小便受け容器７１は便器６の排出口６１に連通するとともに下方にラッパ状に広がり、底を有する。
小便受け容器７１の内壁を伝わって流れ落ちた小便は小便受け容器７１の底にたまる。小便受け容器７１の底にたまった小便は、小便受け容器７１に連通する小便排出樋７６を通って小便処理槽９へ送られる。【００２７】（大便処理槽８）
上記分離装置７により分離された大便を微生物により分解する大便処理槽７０については、先の特許発明（特許第３５３４７３２号公報記載）の技術と基本的に同じである。
使用する処理用資材は、例えば、分解菌Ａ（粉体５００ｇ），Ｂ（液体２５０ｃｃ）と菌床（木材チップ１０リットル）とを混合したもの「入手先：株式会社ウィルテック研究所．佐賀県」が、更に、望ましい。なお、分解菌Ａとは、主として好気性芽胞菌の一種でバチルス属に属し、有機物（特に、澱粉、たんぱく質）の分解力が強い微生物である。また、分解菌Ｂとは、土壌中から発見した菌群で、匂いのもととなっている物質や有機物を分解・除去する微生物である。【００２８】  大便処理槽８では、撹拌翼が回転しており、微生物により大便を炭酸ガスと水に分解する。つまり、この分解に必要な空気を供給するために、大便処理槽８内には攪拌装置８１が設けられている。この分解で生じた炭酸ガスは空気中に放出され、水分は小便処理槽９へ送られる。
なお、本実施例では、大便処理槽８に、小便や洗浄水がほとんど混入しないため、微生物による処理が円滑に進行する。【００２９】  （処理剤）
大便処理槽８の内部には、微生物カートリッジ（図示せず）が設けられている。微生物カートリッジは、多数の孔を有する容器に菌床が収納されており、菌床は多孔質のセラミックからなる。この微生物カートリッジを設けたことにより、大便処理槽８内の微生物の寿命が延びるので、長期に渡って、メンテナンスフリーで使用できる。
この微生物カートリッジに加えて、本実施例の大便処理槽８には、所定の時間間隔で所定量の微生物を自動的に補充する微生物補充装置（図示せず）を備えている。なお、微生物補充装置は、先の特許発明の説明を以ってかえる。【００３０】（小便処理槽９）
前記分離装置７により分離された小便を浄化する小便処理槽９は、図４，５に示すように、小便受け容器７１から小便排出樋７６を介して導入される。その小便処理槽９は直方体形状の容器からなり、小便の流れ方向（小便排出樋７６の方向）に小便を浄化する浄化材９１が横断的に上下交互に隙間を形成しながら複数個（図では４個）、配置される。【００３１】（浄化材９１）
浄化材９１としては、銅繊維が用いられる。この浄化材９１の銅繊維は、銅の繊維状物からなり、太さ：５０μｍｍ、長さ：４０ｍｍのものが好ましく、例えば、コデラカプラン株式会社（所在地：新潟県三条市）製の「銅ファイバー」を用いることができる。したがって、小便は浄化材９１により浄化される。この浄化によって、小便は殺菌される。【００３２】（浄化水再利用）
なお、小便処理槽７により浄化された小便は便器２を洗浄する洗浄水として還流させることができる。しかし、そのまま排出することも可能である。【００３３】（使用方法）
次に、使用方法を図面に従って説明する。
本実施例のかかる身体洗浄装置及び水洗装置付き便器を具備する椅子は、通常は、室内に椅子として日常的に使用が可能である。また、便器の使用時は、適宜必要に応じて電気コード、給水管Ｃ、排水管Ｄ等を椅子側のコンセントＥ，管連結部（図示なし）等に連結する。また、非使用時において、連結したままであてもよい。
便器６の使用に際しては、椅子Ａから立ち上がって、便器６の蓋板１１を持ちあげ、便座６４に座ることで、水洗装置が作動する（水洗状態となる）。また、用便が済み、便座６４から立ち上がることで、水洗装置が停止する（水洗状態停止）。【００３４】  しかし、別例の場合は、便器６付設の座板６４に座った後、肘掛３に設けられている操作パネル３１の用便スイッチ（図示せず）をオンする。排便が済んだ時点で、用便スイッチをオフする。したがって、この間のみ、便器洗浄水は流れていることになる。また、大便のときは、大便スイッチ３３を更にオン操作する。この大便スイッチ３３のオン操作により、シャッタ７３が開となり、大便は大便案内筒７５を介して大便処理槽８に至る。その後、大便スイッチ３３のオフ操作により、シャッタ７３が閉となり、大便案内筒７５は閉止される。用便が済んだ段階で、用便スイッチをオフとすることで、便器洗浄水の流出は停止する。
【産業上の利用可能性】
【００３５】  本発明は、身体洗浄装置及び水洗装置付き便器を具備する椅子の発明であるが、通常の便器としても使用が可能であることはいうまでもない。
【図面の簡単な説明】
【００３６】
【図１】本発明実施例の側面からみた説明図。
【図２】同実施例の上面斜視図。
【図３】同実施例の正面図。
【図４】同実施例のシャッタ部の水平説明図。
【００３７】
【図５】同実施例のシャッタ部の鉛直断面の説明図。
【図６】同実施例の大便処理槽の説明図。
【図７】同実施例の小便処理槽の説明図。
【符号の説明】
【００３８】Ａ：椅子  Ｂ：洗浄水供給管  Ｃ：給水管  Ｄ：排水管  Ｅ：コンセント  Ｆ：床
１：座部  １１：蓋板  ２：背凭れ
３：肘掛  ３１：操作パネル  ３３：大便スイッチ  ３４：ハンドル
【００３９】４：脚部  ４１：横枠  ４１ａ：後枠  ４２：縦枠    ５：貯水槽
６：便器  ６１：排出口  ６２：内壁  ６３：小便案内板  ６４：座板（便座）
７：分離装置  ７１：小便受け容器  ７３：シャッタ
７４：小便案内部  ７５；大便案内筒  ７６：小便排出樋  ７７：位置調整ビス
７８：シャッタ駆動部  ７９：シャッタ案内レール
【００４０】８：大便処理槽  ８１：撹拌装置
９：小便処理槽  ９１：浄化材
１０：モータ    １０ａ：シャッタ開閉用モータ
【図１】
2007120268.tif 000003
【図２】
2007120268.tif 000004
【図３】
2007120268.tif 000005
【図４】
2007120268.tif 000006
【図５】
2007120268.tif 000007
【図６】
2007120268.tif 000008
【図７】
2007120268.tif 000009